(57)【特許請求の範囲】
【請求項１】
地域又は集合住宅を電力供給対象として、発電機が設けられ、
その発電機からの排熱が供給される排熱回収用熱交換器と、貯湯槽と、その貯湯槽に給水する給水手段と、前記排熱回収用熱交換器と前記貯湯槽とにわたって湯水を循環させる排熱回収用循環手段と、前記貯湯槽と前記地域又は集合住宅に含まれる複数の住戸とにわたって湯水を循環させる給湯用循環手段が設けられたコージェネレーションシステムであって、
前記貯湯槽が、前記給水手段にて給水される低温槽と、その低温槽からオーバーフロー状態にて湯水が供給される高温槽とを備えた開放式に構成され、
前記排熱回収用循環手段が、前記低温槽から湯水を取り出して再び前記低温槽に戻す排熱回収用循環経路にて湯水を循環させるように構成され、
前記給湯用循環手段が、前記高温槽から湯水を取り出して前記低温槽に戻す給湯用循環経路にて湯水を循環させるように構成されているコージェネレーションシステム。
【請求項２】
前記排熱回収用循環手段が、前記低温槽と前記高温槽から設定比率で湯水を取り出すように構成されている請求項１記載のコージェネレーションシステム。
【請求項３】
前記高温槽の水位を検出する水位検出手段と、その水位検出手段の検出水位に基づいて、前記高温槽の水位が設定水位になるように前記給水手段の給水作動を制御する制御手段とが設けられている請求項１又は２記載のコージェネレーションシステム。
【請求項４】
前記低温槽の湯水の温度を検出する低温槽温度検出手段と、その低温槽温度検出手段の検出温度に基づいて、前記低温槽の湯水の温度が設定上限温度以上になると前記排熱回収用循環手段の湯水循環作動を停止させ且つ前記低温槽の湯水の温度が前記設定上限温度よりも低くなると前記排熱回収用循環手段を湯水循環作動させる制御手段とが設けられている請求項１〜３のいずれか１項に記載のコージェネレーションシステム。
【請求項５】
前記給湯用循環手段に、前記貯湯槽を迂回させて前記給湯用循環経路にて湯水を循環させるための貯湯槽迂回路が設けられ、
前記給湯用循環手段は、前記貯湯槽を通して前記給湯用循環経路にて湯水を循環させる通常循環状態と、前記貯湯槽迂回路を通して前記給湯用循環経路にて湯水を循環させ且つ前記給湯用循環経路に給水源から水が供給される給水循環状態とに切り換え自在なように構成され、
前記高温槽の湯水の温度を検出する高温槽温度検出手段と、その高温槽温度検出手段の検出情報に基づいて、前記高温槽の湯水の温度が設定下限温度よりも高いときは前記給湯用循環手段を前記通常循環状態に切り換え且つ前記高温槽の湯水の温度が前記設定下限温度以下のときは前記給湯用循環手段を前記給水循環状態に切り換える制御手段とが設けられている請求項１〜４のいずれか１項に記載のコージェネレーションシステム。
【請求項６】
前記複数の住戸夫々に、前記給湯用循環手段を通じて供給される湯水を加熱して湯水需要部に供給する給湯器が設けられている請求項１〜５のいずれか１項に記載のコージェネレーションシステム。
【発明の詳細な説明】
【０００１】
【発明の属する技術分野】
本発明は、地域又は集合住宅を電力供給対象として、発電機が設けられ、
その発電機からの排熱が供給される排熱回収用熱交換器と、貯湯槽と、その貯湯槽に給水する給水手段と、前記排熱回収用熱交換器と前記貯湯槽とにわたって湯水を循環させる排熱回収用循環手段と、前記貯湯槽と前記地域又は集合住宅に含まれる複数の住戸とにわたって湯水を循環させる給湯用循環手段が設けられたコージェネレーションシステムに関する。
【０００２】
【従来の技術】
かかるコージェネレーションシステムは、地域又は集合住宅に含まれる複数の住戸（以下、供給対象住戸群と称する場合がある）に、発電機にて電力を供給し、並びに、排熱回収用循環手段にて、発電機の排熱が供給される排熱回収用熱交換器と貯湯槽とにわたって湯水を循環させて貯湯槽の湯水を加熱し、給湯用循環手段にて、貯湯槽と供給対象住戸群とにわたって湯水を循環させて、発電機の排熱を回収して加熱した湯水を供給対象住戸群に供給するように構成したものである。
【０００３】
かかるコージェネレーションシステムにおいて、従来、図８に示すように、貯湯槽３として、湯水を満水状態で貯留する密閉式に構成したものがあった（特開平７−３２４８０９号公報参照）。
図８に示すように、密閉式の貯湯槽３を設けたものでは、給水手段Ｗｂは、給水源としての水道からの水を貯湯槽３の底部に供給する給水路７１にて構成し、給湯用循環手段Ｃｓは、貯湯槽３の上部から取り出した湯水を供給対象住戸群を経由して流して貯湯槽３に戻す循環経路を形成するように配管した給湯用流路７２と、その給湯用流路７２に設けた給湯用循環ポンプ７３にて構成し、排熱回収用循環手段Ｃｅは、貯湯槽３と排熱回収用熱交換器２とにわたる循環経路を形成する排熱回収用流路７４と、その排熱回収用流路７４に設けた排熱回収用循環ポンプ７５にて構成していた。図８中において、Ｋは、給湯式循環手段Ｃｓにて供給される湯水を加熱すべく、各住戸に設けられた給湯器である。
【０００４】
【発明が解決しようとする課題】
しかしながら、従来のコージェネレーションシステムにおいて、密閉式の貯湯槽を設けたものでは、温度成層が形成される状態で湯水が貯留される貯湯槽の上部から湯水を取り出して、供給対象住戸群に供給するので、住戸に対する湯水の供給温度は安定するものの、貯湯槽が密閉式であることから、貯湯槽の点検や保守のための作業が複雑であるので、貯湯槽の保守管理が複雑であるという問題があった。
ちなみに、上述のような問題を解消するために、貯湯槽として、１槽の開放式に構成する場合が考えられる。しかしながら、１槽の開放式の貯湯槽を設けたものでは、貯湯槽が開放式であるので、貯湯槽の保守管理は簡単であるものの、住戸に対する湯水の供給温度が不安定であるという問題があった。説明を加えると、１槽の開放式の貯湯槽では、供給対象住戸群の湯水使用量により、貯湯槽の水位が変動するので、断水することなく供給対象住戸群に湯水を供給するためには、貯湯槽における給湯用循環手段の湯水取り出し位置としては、貯湯槽の底部側に設定せざるを得ず、そして、その場合は、貯湯槽の温度成層が乱れて、貯湯槽の底部から取り出される湯水の温度が不安定となるので、住戸に対する湯水の供給温度が不安定であるという問題があった。
【０００５】
本発明は、かかる実情に鑑みてなされたものであり、その目的は、保守管理が簡単で、住戸に対する湯水の供給温度が安定するコージェネレーションシステムを提供することにある。
【０００６】
【課題を解決するための手段】
〔請求項１記載の発明〕
請求項１に記載の特徴構成は、前記貯湯槽が、前記給水手段にて給水される低温槽と、その低温槽からオーバーフロー状態にて湯水が供給される高温槽とを備えた開放式に構成され、
前記排熱回収用循環手段が、前記低温槽から湯水を取り出して再び前記低温槽に戻す排熱回収用循環経路にて湯水を循環させるように構成され、
前記給湯用循環手段が、前記高温槽から湯水を取り出して前記低温槽に戻す給湯用循環経路にて湯水を循環させるように構成されていることにある。
請求項１に記載の特徴構成によれば、排熱回収用循環手段により、貯湯槽の湯水は、低温槽から取り出されて排熱回収用熱交換器を通って低温槽に戻る排熱回収用循環経路にて循環され、給湯用循環手段により、貯湯層の湯水は、高温槽から取り出されて供給対象住戸群を巡って低温槽に戻る給湯用循環経路にて循環される。そして、排熱回収用循環経路を循環する湯水は、排熱回収用熱交換器にて加熱されて低温層に戻されることにより、低温槽の湯水が加熱され、低温槽の上層の湯水がオーバーフローして高温槽に供給されて、高温槽に貯留され、その高温槽の湯水が供給対象住戸群にわたって循環して、各住戸で湯水が消費されることになる。
つまり、貯湯槽が低温槽と高温槽とに分けられていて、高温槽の湯水が供給対象住戸群に循環されるので、供給対象住戸群における湯水の使用量の変動が高温槽にて吸収されることから、低温槽には、温度成層が安定して形成される状態で湯水が貯留され、高温槽に対しては、そのように温度成層が安定して形成される状態で湯水が貯留される低温槽の上層の高温層から、オーバーフロー状態で湯水が供給されるので、高温槽には、深さ方向において温度偏差が無いあるいは小さくなる状態で湯水が貯留されることになる。そこで、高温層の底部から湯水を取り出して供給対象住戸群へ供給するにしても、高温槽には、深さ方向において温度偏差が無いあるいは小さくなる状態で湯水が貯留されているので、住戸に対する湯水の供給温度が安定する。
又、貯湯槽は開放式であるので、貯湯槽の点検や保守のための作業が簡単となり、貯湯槽の保守管理が簡単になる。
従って、保守管理が簡単で、住戸に対する湯水の供給温度が安定するコージェネレーションシステムを提供することができるようになった。
【０００７】
〔請求項２記載の発明〕
請求項２に記載の特徴構成は、前記排熱回収用循環手段が、前記低温槽と前記高温槽から設定比率で湯水を取り出すように構成されていることにある。
請求項２に記載の特徴構成によれば、排熱回収用循環手段により、低温槽と高温槽から設定比率で湯水が取り出されて、それらが排熱回収用熱交換器を通って低温槽に戻る形態で、貯湯層の湯水が循環されるので、高温槽の湯水も排熱回収用循環経路にて循環されることとなって、放熱による高温槽の湯水の温度低下が抑制されて、高温槽の湯水の温度が一段と安定する。
従って、住戸に対する湯水の供給温度を一段と安定化させることができるようになった。
【０００８】
〔請求項３記載の発明〕
請求項３に記載の特徴構成は、前記高温槽の水位を検出する水位検出手段と、その水位検出手段の検出水位に基づいて、前記高温槽の水位が設定水位になるように前記給水手段の給水作動を制御する制御手段とが設けられていることにある。
請求項３に記載の特徴構成によれば、制御手段は、水位検出手段の検出水位に基づいて、高温槽の水位が設定水位になるように給水手段の給水作動を制御するので、供給対象住戸群の湯水使用量の変動にかかわらず、高温槽には設定水位で湯水が貯留される。
従って、供給対象住戸群の湯水使用量の変動にかかわらず、各住戸に安定して湯水を供給できる。
【０００９】
〔請求項４記載の発明〕
請求項４に記載の特徴構成は、前記低温槽の湯水の温度を検出する低温槽温度検出手段と、その低温槽温度検出手段の検出温度に基づいて、前記低温槽の湯水の温度が設定上限温度以上になると前記排熱回収用循環手段の湯水循環作動を停止させ且つ前記低温槽の湯水の温度が前記設定上限温度よりも低くなると前記排熱回収用循環手段を湯水循環作動させる制御手段とが設けられていることにある。
請求項４に記載の特徴構成によれば、制御手段は、低温槽温度検出手段の検出温度に基づいて、低温槽の湯水の温度が設定上限温度以上になると排熱回収用循環手段の湯水循環作動を停止させ、低温槽の湯水の温度が設定上限温度よりも低くなると排熱回収用循環手段を湯水循環作動させる。
つまり、供給対象住戸群における湯水使用量が少なくなって、低温層の温度が設定上限温度以上に高くなり、排熱として排熱回収用熱交換器に供給される発電機の冷却水が排熱回収用熱交換器において貯湯層の湯水に対して伝導させる熱量が大幅に抑制されて、発電機が過熱する虞があるような状態となると、排熱回収用熱交換器への貯湯層からの湯水供給が停止されて、前記のような発電機の過熱が防止されるので、供給対象住戸群における湯水使用量が少なくなっても、発電機は通常通り継続して運転することができて、発電機にて供給対象住戸群へ継続して電力を供給しながら、供給対象住戸群に湯水を供給することができる。ちなみに、この場合は、発電機の冷却水は排熱回収用熱交換器とは別の冷却装置にて冷却することになる。
一方、供給対象住戸群における湯水使用量が通常範囲内で、低温槽の湯水の温度が設定上限温度よりも低いときは、貯湯層から排熱回収用熱交換器へ湯水が供給されて、排熱回収用熱交換器において発電機の冷却水と貯湯層の湯水とが熱交換されるので、発電機の冷却水を冷却して発電機を通常通り運転しながら、低温層の湯水を加熱して、供給対象住戸群に湯水を供給することができる。
従って、供給対象住戸群の湯水使用量の変動にかかわらず、供給対象住戸群へ電力及び湯水を安定して供給することができる。
【００１０】
〔請求項５記載の発明〕
請求項５に記載の特徴構成は、前記給湯用循環手段に、前記貯湯槽を迂回させて前記給湯用循環経路にて湯水を循環させるための貯湯槽迂回路が設けられ、
前記給湯用循環手段は、前記貯湯槽を通して前記給湯用循環経路にて湯水を循環させる通常循環状態と、前記貯湯槽迂回路を通して前記給湯用循環経路にて湯水を循環させ且つ前記給湯用循環経路に給水源から水が供給される給水循環状態とに切り換え自在なように構成され、
前記高温槽の湯水の温度を検出する高温槽温度検出手段と、その高温槽温度検出手段の検出情報に基づいて、前記高温槽の湯水の温度が設定下限温度よりも高いときは前記給湯用循環手段を前記通常循環状態に切り換え且つ前記高温槽の湯水の温度が前記設定下限温度以下のときは前記給湯用循環手段を前記給水循環状態に切り換える制御手段とが設けられていることにある。
請求項５に記載の特徴構成によれば、制御手段は、高温槽温度検出手段の検出情報に基づいて、高温槽の湯水の温度が設定下限温度よりも高いときは給湯用循環手段を通常循環状態に切り換え、高温槽の湯水の温度が設定下限温度以下のときは給湯用循環手段を給水循環状態に切り換える。
そして、給湯用循環手段が通常循環状態に切り換えられると、貯湯層の湯水が給湯用循環経路にて循環され、給水循環状態に切り換えられると、給湯用循環経路に給水源から水が供給されながら、貯湯槽迂回路を通して給湯用循環経路にて湯水が循環される。
つまり、低温（例えば、４０°Ｃ以上、５０°Ｃ以下）の湯は滞留すると水質を維持し難いので、高温槽の湯の温度が設定下限温度よりも高くて水質を維持できるときは、通常通り、高温槽の湯が供給対象住戸群にわたって循環され、例えば、供給対象住戸群での湯水使用量が多くなって、高温槽の湯の温度が設定下限温度以下となって高温槽の湯の水質を維持し難くなると、高温槽の湯の循環が停止されて、４０°Ｃよりもかなり温度が低い水が給水源から給湯用循環経路に供給されながら、貯湯槽を迂回させる状態で給湯用循環経路にて水が循環されるので、供給対象住戸群には、４０°Ｃよりもかなり温度が低くて水質を維持できる水が循環されて、各住戸ではその水が使用される。ちなみに、給水循環状態において給湯用循環経路に供給する水として、水道水を供給するようにすると、水道水には塩素が含まれているので、水質を一層維持し易くなって好ましい。
従って、供給対象住戸群に水質を維持する状態で湯水を供給することができる。
【００１１】
〔請求項６記載の発明〕
請求項６に記載の特徴構成は、前記複数の住戸夫々に、前記給湯用循環手段を通じて供給される湯水を加熱して湯水需要部に供給する給湯器が設けられていることにある。
請求項６に記載の特徴構成によれば、各住戸に、給湯用循環手段を通じて供給される湯水を加熱して湯水需要部に供給する給湯器が設けられているので、発電機の起動時、発電機の停止時、供給対象住戸群における湯水使用量が多い時等、給湯用循環手段を通じて供給される湯水の温度が所望の給湯目標温度よりも低いときでも、各住戸では、給湯用循環手段を通じて供給される湯水が給湯器にて給湯目標温度になるように加熱されて湯水需要部に供給される。
従って、給湯用循環手段を通じて供給される湯水の温度が各住戸における所望の給湯目標温度よりも低くなるときでも、各住戸では、所望の給湯目標温度の湯水を得ることができる。
【００１２】
【発明の実施の形態】
以下、図面に基づいて、本発明の実施の形態を説明する。
図１に示すように、コージェネレーションシステムは、集合住宅を電力供給対象として発電機１を設け、並びに、集合住宅を対象として、その発電機１からの排熱が供給される排熱回収用熱交換器２と、貯湯槽３と、その貯湯槽３に給水する槽用給水手段Ｗｂ（給水手段に相当する）と、排熱回収用熱交換器２と貯湯槽３とにわたって湯水を循環させる排熱回収用循環手段Ｃｅと、貯湯槽３と集合住宅に含まれる複数の住戸Ｈとにわたって湯水を循環させる給湯用循環手段Ｃｓと、コージェネレーションシステムの各種制御を司る制御部５を設け、並びに、集合住宅に含まれる複数の住戸Ｈ夫々に、給湯用循環手段Ｃｓを通じて供給される湯水を加熱して住戸Ｈにおける各湯水需要部に供給する給湯器Ｋを設けて構成してある。
【００１３】
更に、コージェネレーションシステムには、商用電源６２からの電力を一括して受電する受変電設備６１と、発電機１を商用電源６２と系統連系させる連系装置６３と、受変電設備６１にて受電した交流電力及び発電機１からの交流電力を直流電力に変換する交直変換装置６４と、その交直変換装置６４にて変換された直流電力を蓄電する蓄電部６５と、その蓄電部６５の直流電力を交流電力に変換する直交変換装置６６を設けてある。
そして、直交変換装置６６から出力される交流電力を、集合住宅に含まれる各住戸Ｈ及び集合住宅における共用電力消費機器６７に供給するように給電線６８を配線してある。以下、集合住宅に含まれる複数の住戸Ｈにおける電力消費機器及び集合住宅における共用電力消費機器６７をまとめて外部電力負荷と称する場合がある。
又、受変電設備６１にて受電する電力を計測する一括受電電力計Ｍ６を設け、各住戸Ｈへの給電線６８には、各住戸Ｈにて受電する電力を計測する住戸用電力計Ｍ７を設けてある。
【００１４】
発電機１は、発電機用ガス供給路６を通じて供給される都市ガスを燃料とするガスエンジン（図示省略）を備えて、そのガスエンジンにて駆動する回転式に構成してある。図中のＭ１は、発電機用ガス供給路６に設けた共用部ガス流量計であり、発電機１におけるガス消費量が計測される。
そして、ガスエンジンを冷却するエンジン冷却水が、冷却水循環路７にてガスエンジンと排熱回収用熱交換器２とにわたって循環させるように構成してある。図中の８は、冷却水循環路７に設けた冷却水循環ポンプである。
【００１５】
図２にも示すように、本発明においては、貯湯槽３は、槽用給水手段Ｗｂにて給水される低温槽３Ｌと、その低温槽３Ｌからオーバーフロー状態にて湯水が供給される高温槽３Ｈとを備えた開放式に構成し、排熱回収用循環手段Ｃｅは、低温槽３Ｌから湯水を取り出して再び低温槽３Ｌに戻す排熱回収用循環経路１１にて湯水を循環させるように構成し、給湯用循環手段Ｃｓは、高温槽３Ｈから湯水を取り出して低温槽３Ｌに戻す給湯用循環経路１４にて湯水を循環させるように構成してある。
【００１６】
図２に基づいて、貯湯槽３について説明を加えると、上部が開口されると共にその開口部を開閉自在な蓋を備えた箱状の槽本体部３ｍの内部を、上縁部が槽本体部３ｍの上部よりも下方に位置する状態で設けた隔壁３ｗにて、２分して、２分した一方を低温槽３Ｌとし、他方を高温槽３Ｈとして、低温槽３Ｌの湯水が隔壁３ｗの上縁部を越えてオーバーフローして、高温槽３Ｈに供給されるように構成してある。
高温槽３Ｈには、高温槽３Ｈの水位を検出する水位検出手段としての水位センサ９を設けてある。
又、低温槽３Ｌの湯水の温度（以下、低温槽温度と称する場合がある）を検出する低温槽温度センサ（低温槽温度検出手段に相当する）１０Ｌと、高温槽３Ｈの湯水の温度（以下、高温槽温度と称する場合がある）を検出する高温槽温度センサ（高温槽温度検出手段に相当する）１０Ｈを設けてある。
【００１７】
図１及び図２に基づいて、排熱回収用循環手段Ｃｅについて説明を加える。
排熱回収用循環手段Ｃｅは、低温槽３Ｌの底部から取り出した湯水を排熱回収用熱交換器２を経由して低温槽３Ｌの上部から戻すように流すべく配管した排熱回収用循環経路１１と、その排熱回収用循環経路１１にて低温槽３Ｌから取り出される湯水量に対して設定比率の量の湯水を高温槽３Ｈの底部から取り出して排熱回収用循環経路１１に供給するように配管した高温槽湯水取り出し路１２と、排熱回収用循環経路１１に設けた排熱回収用循環ポンプ１３を備えて構成してある。
低温槽３Ｌからの湯水取り出し量と高温槽３Ｈからの湯水取り出し量の比率は、低温槽３Ｌの湯水を昇温することができ、高温槽３Ｈの湯水は保温できるような比率に設定してあり、排熱回収用循環経路１１を形成する管及び高温槽湯水取り出し路１２を形成する管夫々の径を調整することにより、低温槽３Ｌからの湯水取り出し量と高温槽３Ｈからの湯水取り出し量が設定比率となるようにしてある。
【００１８】
つまり、低温槽３Ｌ及び高温槽３Ｈ夫々の底部から設定比率で湯水を取り出して、排熱回収用熱交換器２で加熱した後、低温槽３Ｌに戻すことにより、低温槽３Ｌには温度成層が安定して形成される状態で湯水が貯留され、その低温槽３Ｌの上層の温度が安定した高温層の湯水をオーバーフローさせて高温槽３Ｈに供給することにより、高温槽３Ｈには、深さ方向において温度偏差が無い又は小さくなる状態で且つ所定の温度範囲内に保温される状態で、湯水が貯留されるように構成してある。ちなみに、詳細は後述するが、制御部５により、低温槽３Ｌの湯水の温度は例えば６５°Ｃ以下になるように制御される。その場合、高温槽３Ｈの湯水の温度は、例えば、５０〜６０°Ｃの範囲に維持されるようになる。
【００１９】
槽用給水手段Ｗｂは、給水源としての水道と貯湯槽３の低温槽３Ｌとに接続した槽用給水路４と、その槽用給水路４に設けて低温槽３Ｌへの給水を断続する槽用給水路開閉弁Ｖ１とを備えて構成してある。
【００２０】
図１及び図２に基づいて、給湯用循環手段Ｃｓについて説明を加える。
給湯用循環手段Ｃｓには、高温槽３Ｈの底部から取り出した湯水を複数の住戸Ｈを経由して低温槽３Ｌの上部に戻すように流すべく配管した給湯用循環経路１４と、その給湯用循環経路１４における住戸経由箇所よりも上流側に設けた給湯用循環ポンプ１５を備え、給湯用循環経路１４における給湯用循環ポンプ１５の設置箇所よりも上流側に、上流側開閉弁Ｖ２を設け、給湯用循環経路１４における住戸経由箇所よりも下流側に下流側開閉弁Ｖ３を設けてある。
【００２１】
更に、貯湯槽迂回路１６を、給湯用循環経路１４における、上流側開閉弁Ｖ２の設置箇所及び給湯用循環ポンプ１５の設置箇所の両者の間の箇所と、住戸経由箇所及び下流側開閉弁Ｖ３の設置箇所の両者の間の箇所とに接続して、その貯湯槽迂回路１６を通して、貯湯槽３を迂回させる状態で給湯用循環経路１４にて湯水を循環させることができるようにしてある。その貯湯槽迂回路１６には、逆止弁１７と貯湯槽迂回路開閉弁Ｖ４を設けてある。
更に、給水源としての水道に接続した循環用給水路１８を、給湯用循環経路１４における、上流側開閉弁Ｖ２の設置箇所と給湯用循環ポンプ１５の設置箇所との間の箇所に接続して、水道水を給湯用循環経路１４に供給するように構成し、その循環用給水路１８には、循環用給水路開閉弁Ｖ５を設けてある。従って、循環用給水手段Ｗｃは、循環用給水路１８と循環用給水路開閉弁Ｖ５にて構成してある。尚、前述の槽用給水路４及び循環用給水路１８夫々の通水量を合わせた通水量を計測する共用部水道水流量計Ｍ２を設けてある。
【００２２】
つまり、給湯用循環ポンプ１５を作動させ、上流側開閉弁Ｖ２及び下流側開閉弁Ｖ３を開弁し、貯湯槽迂回路開閉弁Ｖ４及び循環用給水路開閉弁Ｖ５を閉弁した状態では、図２に示すように、湯水は、高温槽３Ｈから取り出され、給湯用循環経路１４を流れて低温槽３Ｌに戻る状態、つまり、貯湯槽３を通して給湯用循環経路１４にて湯水を循環させる通常循環状態となる。
又、給湯用循環ポンプ１５を作動させ、上流側開閉弁Ｖ２及び下流側開閉弁Ｖ３を閉弁し、貯湯槽迂回路開閉弁Ｖ４及び循環用給水路開閉弁Ｖ５を開弁した状態では、図４に示すように、湯水は給湯用循環経路１４と貯湯槽迂回路１６とを流れる状態となるので、貯湯槽迂回路１６を通して給湯用循環経路１４にて湯水を循環させ且つ給湯用循環経路１４に循環用給水路１８を通じて水道水が供給される給水循環状態となる。
つまり、給湯用循環手段Ｃｓは、通常循環状態と給水循環状態とに切り換え自在なように構成してある。
【００２３】
図１に示すように、各住戸Ｈに対して、給湯用循環経路１４を流れる湯水を供給する住戸用湯水供給路１９、都市ガスを供給する住戸用ガス供給路２０、水道水を供給する住戸用給水路２１を設け、住戸用湯水供給路１９には給湯用循環手段Ｃｓにて供給される湯水の流量を計測する湯水流量計Ｍ３を設け、住戸用ガス供給路２０には住戸用ガス流量計Ｍ４を設け、住戸用給水路２１には住戸用水道水流量計Ｍ５を設けてある。
住戸用湯水供給路１９は、給湯器Ｋに接続し、住戸用給水路２１は、給湯器Ｋ及び洗面所や台所の給水栓等の水消費部に接続し、住戸用ガス供給路２０は、給湯器Ｋ及びガスコンロ等のガス消費部に接続してある。
【００２４】
次に、制御部５の制御動作を説明する。
先ず、発電機１及び商用電源６２により住戸Ｈ及び共用電力消費機器６７に給電する給電制御について説明する。
【００２５】
制御部５は、１日に対して予め定められた時間帯（例えば、電力需要の多い時間帯として定めた１４時から２４時までの１０時間）で発電機１を運転し、その他の時間帯は発電機１を停止させるように、発電機１を毎日自動運転する。
【００２６】
そして、発電機１の運転中は、外部電力負荷に対して発電機１及び蓄電部６５から給電され、外部電力負荷に対して発電機１の出力が余るときは、その余剰電力が蓄電部６５に蓄電される状態となり、制御部５は、そのように発電機１の運転中は、外部電力負荷に対して発電機１及び蓄電部６５の出力が不足する場合には、その不足分が商用電源６２にて補われるように連系装置６３を制御する。
又、発電機１の停止中は、外部電力負荷に対して蓄電部６５から給電される状態となり、制御部５は、そのように発電機１の停止中は、外部電力負荷に対して蓄電部６５の出力が不足する場合には、その不足分が商用電源６２にて補われるように連系装置６３を制御する。
【００２７】
更に、制御部５は、商用電源６２からの供給電力が深夜電力となる時間帯においては、蓄電部６５の蓄電容量を監視して、蓄電部６５の蓄電容量が設定上限値となるように、蓄電部６５への蓄電を制御する。ちなみに、蓄電部６５の蓄電容量の監視は、蓄電部６５の電圧等に基づいて、制御部５に内蔵の蓄電容量演算部にて蓄電部６５の蓄電容量を演算して行うことになる。
つまり、蓄電部６５には、発電機１における外部電力負荷に対する余剰電力、及び、商用電源６２の深夜電力が蓄電されることになる。
【００２８】
次に、貯湯槽３の湯水を複数の住戸Ｈに供給する給湯制御について、図２ないし図６に基づいて説明する。
制御部５には、水位センサ９、低温槽温度センサ１０Ｌ及び高温槽温度センサ１０Ｈ夫々の検出情報が入力され、冷却水循環ポンプ８、排熱回収用循環ポンプ１３及び給湯用循環ポンプ１５夫々の発停制御、槽用給水路開閉弁Ｖ１、上流側開閉弁Ｖ２、下流側開閉弁Ｖ３、貯湯槽迂回路開閉弁Ｖ４及び循環用給水路開閉弁Ｖ５夫々の開閉制御を行うように構成してある。
又、制御部５には、設定上限温度及び設定下限温度を予め設定して記憶させてある。ちなみに、設定上限温度としては、排熱回収用熱交換器２において貯湯槽３からの湯水にて発電機１のガスエンジンの冷却水を冷却できてガスエンジンの過熱を防止できるように、貯湯槽３の低温槽３Ｌに貯留される湯水の温度の上限値として設定するものであり、例えば６５°Ｃに設定する。
又、湯は温度が低くなると水質を維持し難いので、設定下限温度としては、各住戸Ｈに供給される湯の水質を維持できるように、貯湯槽３の高温槽３Ｈに貯留される湯水の温度の下限値として設定するものであり、例えば５０°Ｃに設定する。
【００２９】
そして、制御部５は、低温槽温度センサ１０Ｌにて検出される低温槽温度及び高温槽温度センサ１０Ｈにて検出される高温槽温度に基づいて、低温槽温度が設定上限値よりも低く且つ高温槽温度が設定下限値よりも高いときは、排熱回収用循環ポンプ１３を作動させて排熱回収用循環手段Ｃｅを湯水循環作動させ且つ給湯用循環手段Ｃｓを通常循環状態にする通常運転制御を実行し、低温槽温度が設定上限値以上で且つ高温槽温度が設定下限値よりも高いときは、排熱回収用循環ポンプ１３を停止させて排熱回収用循環手段Ｃｅの湯水循環作動を停止させ且つ給湯用循環手段Ｃｓを通常循環状態にする排熱回収停止運転制御を実行し、低温槽温度が設定上限値よりも低く且つ高温槽温度が設定下限値以下のときは、排熱回収用循環手段Ｃｅを湯水循環作動させ且つ給湯用循環手段Ｃｓを給水循環状態にする給水循環運転制御を実行する。
制御部５は、通常運転制御、排熱回収停止運転制御及び給水循環運転制御夫々の運転制御の実行中は、水位センサ９の検出水位に基づいて、高温槽３Ｈの水位が設定水位になるように、槽用給水路開閉弁Ｖ１を開閉制御する。
つまり、制御部５を用いて、制御手段を構成してある。
【００３０】
又、制御部５は、発電機１の運転を停止させている時間帯においては、低温槽温度センサ１０Ｌ及び高温槽温度センサ１０Ｈの検出情報に関係なく、排熱回収用循環手段Ｃｅの湯水循環作動を停止させ且つ給湯用循環手段Ｃｓを通常循環状態とする発電機停止時運転制御を実行する。
制御部５は、発電機停止時運転制御の実行中は、水位センサ９の検出水位に基づいて、高温槽３Ｈの水位が設定水位になるように、槽用給水路開閉弁Ｖ１を開閉制御する。
【００３１】
又、制御部５は、操作部２２から点検用運転制御の実行が指示されると、低温槽温度センサ１０Ｌ及び高温槽温度センサ１０Ｈの検出情報に関係なく、排熱回収用循環手段Ｃｅの湯水循環作動を停止させ且つ給湯用循環手段Ｃｓを給水循環状態にする点検用運転制御を実行する。
【００３２】
以下、図２ないし図６に基づいて、各運転制御おける制御部５の制御動作について説明を加える。尚、図２ないし図６では、上流側開閉弁Ｖ２、下流側開閉弁Ｖ３、貯湯槽迂回路開閉弁Ｖ４及び循環用給水路開閉弁Ｖ５夫々の開閉弁において、開弁状態を白抜き状態にて、閉弁状態を塗りつぶし状態にて示す。
【００３３】
図２に示すように、通常運転制御においては、冷却水循環ポンプ８、排熱回収用循環ポンプ１３及び給湯用循環ポンプ１５を作動させ、上流側開閉弁Ｖ２及び下流側開閉弁Ｖ３を開弁し、貯湯槽迂回路開閉弁Ｖ４及び循環用給水路開閉弁Ｖ５を閉弁する。つまり、排熱回収用循環手段Ｃｅは湯水循環作動され、給湯用循環手段Ｃｓは、貯湯槽３を通して給湯用循環経路１４にて湯水を循環させる通常循環状態に切り換えられる。
すると、エンジン冷却水は排熱回収用熱交換器２を通って循環し、貯湯槽３の湯水は、排熱回収用循環経路１１にて、低温槽３Ｌ及び高温槽３Ｈから設定比率で取り出されて排熱回収用熱交換器２を通って低温槽３Ｌの上部から戻るように循環し、給湯用循環経路１４にて、高温槽３Ｈから取り出されて複数の住戸Ｈを巡って低温槽３Ｌの上部に戻るように循環する。
つまり、低温槽３Ｌ及び高温槽３Ｈから設定比率で取り出された湯水が排熱回収用熱交換器２におけるエンジン冷却水との熱交換作用にて加熱されて、低温槽３Ｌに戻されることにより、低温槽３Ｌの湯水が加熱され、その低温槽３Ｌの上層の温度が安定した高温層の湯水がオーバーフローして高温槽３Ｈに供給されるので、高温槽３Ｈには温度が安定する状態で湯水が貯留され、その高温槽３Ｈの温度が安定した湯水が複数の住戸Ｈにわたって循環して、そのように循環する湯水が各住戸Ｈで消費されることになる。
【００３４】
図３に示すように、排熱回収停止運転制御においては、冷却水循環ポンプ８及び給湯用循環ポンプ１５を作動させ、排熱回収用循環ポンプ１３を停止させ、上流側開閉弁Ｖ２及び下流側開閉弁Ｖ３を開弁し、貯湯槽迂回路開閉弁Ｖ４及び循環用給水路開閉弁Ｖ５を閉弁する。つまり、排熱回収用循環手段Ｃｅの湯水循環作動が停止され、給湯用循環手段Ｃｓは、貯湯槽３を通して給湯用循環経路１４にて湯水を循環させる通常循環状態に切り換えられる。
すると、エンジン冷却水は排熱回収用熱交換器２を通って循環するが、排熱回収用循環ポンプ１３が停止しているので、排熱回収用循環経路１１を通じての排熱回収用熱交換器２を通る貯湯槽３の湯水の循環は停止され、貯湯槽３の湯水は、給湯用循環経路１４にて、高温槽３Ｈから取り出されて複数の住戸Ｈを巡って低温槽３Ｌの上部に戻るように循環する。
従って、高温槽３Ｈの温度が安定した湯水が複数の住戸Ｈにわたって循環して、そのように循環する湯水が各住戸Ｈで消費されることになる。又、貯湯槽３の高温の湯が排熱回収用熱交換器２を流れることがないので、エンジン冷却水が過熱されて発電機１のガスエンジンが過熱するといった不具合を防止することができる。ちなみに、この場合は、エンジン冷却水は、排熱回収用熱交換器２とは別の冷却装置にて冷却されることになる。
高温槽３Ｈの湯水の量が少なくなるのに伴って、水位センサ９にて検出される高温槽３Ｈの水位が設定水位よりも低くなると、槽用給水路開閉弁Ｖ１が開かれて、槽用給水路４を通じて低温槽３Ｌに給水されるので、低温槽３Ｌの湯水の温度が低下することになる。そして、低温槽温度センサ１０Ｌにて検出される低温槽温度が設定上限値よりも低くなることに基づいて、制御部５は通常運転制御を実行する。
【００３５】
図４に示すように、給水循環運転制御においては、冷却水循環ポンプ８、排熱回収用循環ポンプ１３及び給湯用循環ポンプ１５を作動させ、上流側開閉弁Ｖ２及び下流側開閉弁Ｖ３を閉弁し、貯湯槽迂回路開閉弁Ｖ４及び循環用給水路開閉弁Ｖ５を開弁する。つまり、排熱回収用循環手段Ｃｅは湯水循環作動され、給湯用循環手段Ｃｓは、貯湯槽迂回路１６を通して給湯用循環経路１４にて湯水を循環させ且つ給湯用循環経路１４に水道水が供給される給水循環状態に切り換えられる。
すると、エンジン冷却水は排熱回収用熱交換器２を通って循環し、貯湯槽３の湯水は排熱回収用循環経路１１及び高温槽湯水取り出し路１２のみにて循環して、給湯用循環経路１４を通じては循環せず、水道からの水道水が貯湯槽３を迂回して貯湯槽迂回路１６を流れる状態で給湯用循環経路１４にて循環する。
つまり、低温槽３Ｌ及び高温槽３Ｈから設定比率で取り出された湯水が排熱回収用熱交換器２におけるエンジン冷却水との熱交換作用にて加熱されて、低温槽３Ｌに戻されることにより、低温槽３Ｌの湯水が加熱され、その低温槽３Ｌの上層の温度が安定した高温槽３Ｈの湯水がオーバーフローして高温槽３Ｈに供給されるので、高温槽３Ｈの湯水が加熱されて昇温する。一方、水道水が複数の住戸Ｈにわたって循環して、そのように循環する水道水が各住戸Ｈで消費されることになる。
従って、高温槽３Ｈの湯水の温度が５０°Ｃよりも高くて水質を維持できるときは、各住戸Ｈには５０°Ｃよりも高くて水質を維持できる高温槽３Ｈの湯が供給され、高温槽３Ｈの湯水の温度が５０°Ｃ以下になって水質を維持し難くなると、給水循環状態に切り換えられて、各住戸Ｈには水質を維持できる水道水が供給されることになる。
給水循環運転制御の実行中に、高温槽３Ｈの湯水の温度が上昇して、高温槽温度センサ１０Ｈにて検出される高温槽温度が設定下限値よりも高くなることに基づいて、制御部５は通常運転制御を実行する。
【００３６】
図５に示すように、発電機停止時運転制御においては、冷却水循環ポンプ８及び排熱回収用循環ポンプ１３を停止させ、給湯用循環ポンプ１５を作動させ、上流側開閉弁Ｖ２及び下流側開閉弁Ｖ３を開弁し、貯湯槽迂回路開閉弁Ｖ４及び循環用給水路開閉弁Ｖ５を閉弁する。つまり、排熱回収用循環手段Ｃｅの湯水循環作動が停止され、給湯用循環手段Ｃｓは、貯湯槽３を通して給湯用循環経路１４にて湯水を循環させる通常循環状態に切り換えられる。
すると、エンジン冷却水の循環は停止し、排熱回収用循環経路１１を通じての貯湯槽３の湯水の循環は停止し、貯湯槽３の湯水は給湯用循環経路１４にて循環する。
そして、高温槽３Ｈの湯水が複数の住戸Ｈにわたって循環して、そのように循環する湯水が各住戸Ｈで消費されることになる。
従って、発電機１の停止時も、継続して各住戸Ｈに湯水が供給される。
【００３７】
図６に示すように、点検用運転制御においては、冷却水循環ポンプ８及び排熱回収用循環ポンプ１３を停止させ、給湯用循環ポンプ１５を作動させ、上流側開閉弁Ｖ２及び下流側開閉弁Ｖ３を閉弁し、貯湯槽迂回路開閉弁Ｖ４及び循環用給水路開閉弁Ｖ５を開弁する。つまり、排熱回収用循環手段Ｃｅの湯水循環作動が停止され、給湯用循環手段Ｃｓは、貯湯槽迂回路１６を通して給湯用循環経路１４にて湯水を循環させ且つ給湯用循環経路１４に水道水が供給される給水循環状態に切り換えられる。
すると、エンジン冷却水の循環は停止し、貯湯槽３の湯水の循環も停止し、水道からの水道水が貯湯槽３を迂回する状態で給湯用循環経路１４にて循環する。
つまり、水道水が複数の住戸Ｈにわたって循環し、そのように循環する水道水が各住戸Ｈで消費されることになる。
従って、貯湯槽３を点検する間も、継続して各住戸Ｈに湯水が供給される。
【００３８】
次に、図７に基づいて、各住戸Ｈに設ける給湯器Ｋについて説明する。
給湯器Ｋは、住戸用湯水供給路１９から供給される湯水と住戸用給水路２１から供給される水とを混合する混合部Ｋｍと、その混合部Ｋｍから湯水が加熱対象として供給される加熱部Ｋｈと、給湯目標温度を設定する給湯温度設定部等を備えたリモコン操作部３１を備えて構成してある。
【００３９】
加熱部Ｋｈは、混合部Ｋｍから給水路３２を通じて供給される湯水を加熱して、加熱後の湯水を給湯路３３に供給する給湯用熱交換器３４と、追焚用循環路３５を通流する浴槽（図示省略）の湯水を加熱する追焚用熱交換器３６と、それら給湯用熱交換器３４及び追焚用熱交換器３６を加熱するガスバーナ３７と、加熱部Ｋｈの作動を制御する加熱制御部３８等を備えて構成してある。
【００４０】
ガスバーナ３７には、住戸用ガス供給路２０を接続し、その住戸用ガス供給路２０には、ガス供給を断続するガス断続弁３９、及び、ガス供給量を調整するガス比例弁４０を設けてある。
【００４１】
給水路３２には、供給される湯水の温度を検出する給水温度センサ４１、供給される湯水の流量を検出する給水量センサ４２を設け、給水路３２と給湯路３３とを給水バイパス路４３にて接続してある。
給湯路３３には、上流側から順に、給湯用熱交換器３４からの湯水と給水バイパス路４３からの水との混合比を調整するミキシング弁４５、湯水の量を調整する水比例弁５０と、ミキシング弁４５にて混合された湯水の温度を検出する給湯温度センサ４４を設け、給湯路３３の先端には、給湯栓４９を接続してある。
給湯路３３から分岐した湯張り路４６を追焚用循環路３５における往路部分に接続し、湯張り路４６には湯張り用開閉弁４７を設けてある。
又、追焚用循環路３５における復路部分には、浴槽水を循環させる浴槽用循環ポンプ４８を設けてある。
【００４２】
混合部Ｋｍは、住戸用湯水供給路１９（即ち、給湯用循環手段Ｃｓ）から供給される湯水と住戸用給水路２１から供給される水との混合比を調整するミキシング弁５１と、住戸用湯水供給路１９からミキシング弁５１への湯水供給を断続する湯水供給路開閉弁５２と、住戸用湯水供給路１９からミキシング弁５１へ供給される湯水の温度（以下、循環湯水温度と称する場合がある）を検出する循環湯水温度センサ５３と、住戸用給水路２１からミキシング弁５１へ供給される水の温度（混合部給水温度と称する場合がある）を検出する給水温度センサ５４と、ミキシング弁５１から流出した湯水の温度（以下、混合湯水温度と称する場合がある）を検出する混合温度センサ５５と、混合部Ｋｍの作動を制御する混合制御部５６等を備えて構成してある。
【００４３】
次に、加熱制御部３８及び混合制御部５６の制御動作について説明する。
加熱制御部３８は、リモコン操作部３１及び混合制御部５６夫々との間で各種の制御情報を通信するように構成してある。
リモコン操作部３１の運転スイッチがオンされると、加熱制御部３８及び混合制御部５６夫々の制御が可能で、湯水供給路開閉弁５２が開かれた運転状態となる。
そして、給湯栓４９が開かれて、給水量センサ４２の検出湯水流量が設定量以上になると、加熱制御部３８は、混合制御部５６に対して、リモコン操作部３１にて設定された給湯目標温度を送信し、混合制御部５６は、循環湯水温度センサ５３にて検出された循環湯水温度と加熱制御部３８から送られてきた給湯目標温度とを比較して、循環湯水温度が給湯目標温度以上のときはその旨を、循環湯水温度が給湯目標温度より低いときはその旨をそれぞれ加熱制御部３８に送信する。
【００４４】
又、混合制御部５６には、予め、混合目標温度を設定して記憶させてある。ちなみに、混合目標温度としては低混合目標温度と高混合目標温度との２種類を設定してあり、低混合目標温度は、リモコン操作部３１で設定される給湯目標温度が予め設定してある通常給湯目標温度範囲（例えば３５〜４８°Ｃ）のときに対応するものであり、例えば３０°Ｃに設定し、高混合目標温度は、リモコン操作部３１で設定される給湯目標温度が予め設定してある高温給湯目標温度（例えば６０°Ｃ）のときに対応するものであり、例えば、４５°Ｃに設定する。
【００４５】
給湯栓４９が開かれて給水量センサ４２の検出湯水流量が設定量以上になることに基づいて、加熱制御部３８から給湯目標温度が送信されてくると、混合制御部５６は、循環湯水温度センサ５３にて検出される循環湯水温度と給湯目標温度とを比較して、循環湯水温度が給湯目標温度以上のときは、循環湯水温度センサ５３、給水温度センサ５４及び混合温度センサ５５夫々の検出温度に基づいて、混合温度センサ５５にて検出される混合湯水温度が給湯目標温度になるようにミキシング弁５１を調整して、住戸用湯水供給路１９からの湯水と住戸用給水路２１からの水を混合し、且つ、循環湯水温度が給湯目標温度以上である旨を加熱制御部３８に送信する。
加熱制御部３８は、循環湯水温度が給湯目標温度以上である旨が混合制御部５６から送信されてくると、ガスバーナ３７を燃焼停止状態とする。
従って、混合部Ｋｍから加熱部Ｋｈに供給された湯水は加熱部Ｋｈにて加熱されずに給湯栓４９から出湯することになり、給湯栓４９からは給湯目標温度又は略給湯目標温度の湯水が出湯する。
【００４６】
一方、循環湯水温度が給湯目標温度よりも低いときは、循環湯水温度センサ５３、給水温度センサ５４及び混合温度センサ５５夫々の検出温度に基づいて、混合温度センサ５５にて検出される混合湯水温度が、給湯目標温度が通常給湯目標温度範囲のときは低混合目標温度になるように、あるいは、給湯目標温度が高温給湯目標温度のときは高混合目標温度になるように、ミキシング弁５１を調整して、住戸用湯水供給路１９からの湯水と住戸用給水路２１からの水を混合し、且つ、循環湯水温度が給湯目標温度よりも低い旨を加熱制御部３８に送信する。
加熱制御部３８は、混合制御部５６から循環湯水温度が給湯目標温度よりも低い旨が送信されてくると、ガスバーナ３７を燃焼させ、給湯目標温度、給水温度センサ４１の検出温度及び給水量センサ４２の検出給水量に基づいて、給湯用熱交換器３４から流出する湯水の温度が給湯目標温度になるように、ガス比例弁４０の開度及びミキシング弁４５の開度を調節するフィードフォワード制御を実行し、且つ、給湯温度センサ４４の検出温度と給湯目標温度との偏差に基づいてガス比例弁４０の開度を微調整するフィードバック制御を実行する。
従って、給湯栓４９からは給湯目標温度の湯水が出湯することになる。
【００４７】
つまり、 加熱制御部３８及び混合制御部５６にて給湯器制御部を構成するとすると、給湯器Ｋは、給湯用循環手段Ｃｓからの湯水と給水源からの水とを混合すると共にその混合比率が調整自在な混合部Ｋｍと、その混合部Ｋｍから供給される湯水を加熱すると共にその加熱量が調整自在な加熱部Ｋｈと、給湯用循環手段Ｃｓから供給される湯水の温度を検出する循環湯水温度センサ５３と、給水源からの水の温度を検出する給水温度センサ５４と、それら循環湯水温度センサ５３及び給水温度センサ５４夫々の検出温度に基づいて、給湯用循環手段Ｃｓからの湯水の温度が給湯目標温度以上のときは、混合後の湯水の温度が給湯目標温度になるように混合部Ｋｍにおける混合比率を調整し且つ加熱部Ｋｈの加熱作動を停止する給湯器制御部を備えて構成されている。
又、前記給湯器制御部は、給湯用循環手段Ｃｓからの湯水の温度が給湯目標温度よりも低いときは、混合後の湯水の温度が、加熱部Ｋｈの加熱作動による給湯目標温度への温度調節が安定して行えるような加熱対象の湯水の温度として予め設定した混合目標温度になるように混合部Ｋｍにおける混合比率を調整し、且つ、給湯目標温度になるように加熱部Ｋｈの加熱量を調整するように構成されている。
【００４８】
従って、給湯用循環手段Ｃｓからの湯水の温度が給湯目標温度以上のときは、混合部Ｋｍにて、給湯目標温度になるように給湯用循環手段Ｃｓからの湯水と給水源からの水とが混合され、そのように混合された湯水が加熱部Ｋｈにて加熱されずに出湯されるので、給湯目標温度又は略給湯目標温度の湯水が得られる。
【００４９】
又、給湯用循環手段Ｃｓからの湯水の温度が給湯目標温度よりも低いときは、給湯目標温度への温度調節が安定して行えるような混合目標温度になるように、給湯用循環手段Ｃｓからの湯水と給水源からの水とが混合されてから、加熱部Ｋｈにて給湯目標温度になるように加熱されるので、給湯用循環手段Ｃｓからの湯水の温度と給湯目標温度との差が小さいときでも、給湯目標温度又は略給湯目標温度の湯水が得られる。
つまり、ガスバーナ３７の燃焼安定性を確保するために、ガスバーナ３７の燃焼量は所定の最小燃焼量よりも小さくは絞れないようにしてある。従って、前述の如き湯水混合制御、即ち、給湯用循環手段Ｃｓからの湯水と給水源からの水とを混合目標温度になるように混合する制御を行わないときは、給湯用循環手段Ｃｓからの湯水の温度と給湯目標温度との差が小さくて、その差に基づいて求めた燃焼量が最小燃焼量よりも小さいときは、例えば、ガスバーナ３７を最小燃焼量にて燃焼させるようになるので、出湯する湯水の温度を給湯目標温度に調整し難いといった不具合が生じることになる。そこで、前述の如き湯水混合制御を行うことにより、前述の如き不具合が解消されることになる。
【００５０】
要するに、給湯用循環手段Ｃｓにて供給される湯水の温度は、供給対象住戸群における湯水使用量により変動するが、給湯用循環手段Ｃｓにて供給される湯水の温度が給湯目標温度以上のとき及び給湯目標温度よりも低いときのいずれにおいても、各住戸Ｈでは、給湯目標温度又は略給湯目標温度の湯水を得ることができる。
【００５１】
上述のように構成したコージェネレーションシステムでは、各住戸Ｈにおける湯水流量計Ｍ３及び住戸用電力計Ｍ７の検針は、地域又は集合住宅に含まれる複数の住戸Ｈを管理する管理組合が検針して、各住戸Ｈに課金することになる。
【００５２】
〔別実施形態〕
次に別実施形態を説明する。
（イ）  上記の実施形態においては、排熱回収用循環手段Ｃｅを、低温槽３Ｌと高温槽３Ｈから設定比率で湯水を取り出すように構成する場合について例示したが、低温槽３Ｌのみから湯水を取り出すように構成しても良い。
【００５３】
（ロ）  上記の実施形態においては、給湯器Ｋは、混合部Ｋｍ及び加熱部Ｋｈの両方を備えて構成する場合について例示したが、混合部Ｋｍを省略しても良い。
【００５４】
（ハ）  槽用給水手段Ｗｂの具体構成は、上記の実施形態において例示した構成に限定されるものではない。例えば、槽用給水路４を排熱回収用循環経路１１における排熱回収用熱交換器２の設置箇所よりも上流側部分に接続して、排熱回収用循環経路１１を通じて低温槽３Ｌに給水するように構成しても良い。この場合、槽用給水路４を排熱回収用循環経路１１に直接接続して、常時、槽用給水路４が排熱回収用循環経路１１に連通する状態としても良いし、あるいは、槽用給水路４を三方弁を介して排熱回収用循環経路１１に接続して、三方弁により、槽用給水路４を排熱回収用循環経路１１に対して連通させる状態と連通を断つ状態とに切り換えて、低温槽３Ｌへの給水を断続するように構成しても良い。
【００５５】
（ニ）  低温槽３Ｌと高温槽３Ｈとの間の湯水の温度の関係は、供給対象住戸群における湯水使用量の変動、発電機１から供給される排熱量の変動等に伴い変化するものであり、低温槽３Ｌの湯水の温度が高温槽３Ｈの湯水の温度よりも低い場合が多いが、低温槽３Ｌの湯水の温度が高温槽３Ｈの湯水の温度以上になる場合もある。
【００５６】
（ホ）  上記の実施形態のように、発電機１をガスエンジン等のエンジンにて駆動されるエンジン駆動の回転式にて構成する場合、排熱回収用熱交換器２に供給する発電機１の排熱としては、上記の実施形態において例示したエンジン冷却水以外に、エンジンの排ガスを供給したり、エンジン冷却水と排ガスの両方を供給したりするように構成しても良い。尚、発電機１をエンジン駆動の回転式にて構成する場合、エンジンとしては、上記の実施形態において例示した都市ガスを燃料とするもの以外に、ＬＰガス、石油、ガソリン等種々の燃料を用いるものを使用することができる。
又、発電機１は、上記の実施形態において例示した如きエンジン駆動の回転式にて構成する以外に、ガスタービンにて駆動するガスタービン駆動の回転式にて構成しても良い。発電機１をガスタービン駆動の回転式にて構成する場合、排熱回収用熱交換器２には発電機１の排熱としてガスタービンの排ガスを供給するように構成する。
又、発電機１としては、上記の如き回転式に限定されるのではなく、例えば、各種の燃料電池にて構成することができる。発電機１を燃料電池にて構成する場合は、排熱回収用熱交換器２には発電機１の排熱として燃料電池の冷却水を供給するように構成する。
【００５７】
（ヘ）  上記の実施形態においては、１台の貯湯槽３に対して発電機１を１台設ける場合について例示したが、１台の貯湯槽３に対して発電機１を複数台設けても良い。この場合、例えば、複数台の発電機１夫々に排熱回収用熱交換器２を１台ずつ設けて、それら複数の排熱回収用熱交換器２を並列状態にて貯湯槽３に接続する構成を採用することができる。
【図面の簡単な説明】
【図１】コージェネレーションシステムの全体構成を示すブロック図
【図２】コージェネレーションシステムにおける通常運転制御での湯水流動状態を示すブロック図
【図３】コージェネレーションシステムにおける排熱回収停止運転制御での湯水流動状態を示すブロック図
【図４】コージェネレーションシステムにおける給水循環運転制御での湯水流動状態を示すブロック図
【図５】コージェネレーションシステムにおける発電機停止時運転制御での湯水流動状態を示すブロック図
【図６】コージェネレーションシステムにおける点検用運転制御での湯水流動状態を示すブロック図
【図７】コージェネレーションシステムの給湯器の構成を示すブロック図
【図８】従来のコージェネレーションシステムのブロック図
【符号の説明】
１      発電機
２      排熱回収用熱交換器
３      貯湯槽
３Ｈ    高温槽
３Ｌ    低温槽
５      制御手段
９      水位検出手段
１０Ｈ  高温槽温度検出手段
１０Ｌ  低温槽温度検出手段
１１    排熱回収用循環経路
１４    給湯用循環経路
１６    貯湯槽迂回路
Ｃｅ    排熱回収用循環手段
Ｃｓ    給湯用循環手段
Ｈ      住戸
Ｋ      給湯器
Ｗｂ    給水手段
【図１】
0004416358.tif 000002
【図２】
0004416358.tif 000003
【図３】
0004416358.tif 000004
【図４】
0004416358.tif 000005
【図５】
0004416358.tif 000006
【図６】
0004416358.tif 000007
【図７】
0004416358.tif 000008
【図８】
0004416358.tif 000009